(57)【要約】【課題】  現像剤の拡散が抑制され得る現像カートリッジ、プロセスカートリッジ、及び画像形成装置を提供する。【解決手段】  現像カートリッジ１３２のケーシングをなす現像ユニットケース１３２ａには、可動カバー１３２ｆが装着されている。可動カバー１３２ｆは、現像ユニットケース１３２ａに支持された現像ローラ１３２ｂの回転軸１３２ｂ１を中心に回転可能に支持されている。可動カバー１３２ｆは、現像カートリッジ１３２の非使用時には、現像ローラ１３２ｂの周面を保護するように現像ローラ１３２ｂの側方に位置し（第１の位置）、使用時には、現像ユニットケース１３２ａと現像ローラ１３２ｂとの隙間から漏出したトナーを受容し得るように、現像ローラ１３２ｂの下方に位置する（第２の位置）。【選択図】  図３
2006267445.tif 000002
【特許請求の範囲】
【請求項１】
画像形成装置に備えられた像担持体に形成された静電潜像を現像し得るように構成され、前記画像形成装置に対して着脱可能な現像カートリッジにおいて、
前記静電潜像を現像するための現像剤を周面に担持し得る現像ローラと、
その現像ローラの前記周面を外部に露出する開口部が形成されていて、前記現像ローラを回転可能に支持しつつ収容する現像ユニットケースと、
前記開口部から露出された前記現像ローラの前記周面を覆うように当該周面に対向する第１の位置と、前記周面の下方に位置することで当該周面を外部に露出する第２の位置との間で移動し得るように、前記現像ユニットケースに支持された可動カバーと、
前記可動カバーに設けられていて、前記第２の位置にて前記開口部と前記現像ローラとの隙間から漏出した現像剤を収容し得る収容部と、
を備えたことを特徴とする現像カートリッジ。
【請求項２】
請求項１に記載の現像カートリッジであって、
前記収容部は、少なくとも前記現像ローラの両端部に対応して設けられたことを特徴とする現像カートリッジ。
【請求項３】
請求項１又は２に記載の現像カートリッジであって、
前記収容部は、少なくとも前記現像ローラの回転中心軸方向における中央部に対応して設けられたことを特徴とする現像カートリッジ。
【請求項４】
請求項１ないし３のいずれかに記載の現像カートリッジであって、
前記収容部は、前記現像ローラの回転中心軸方向における幅よりも広い幅に形成されたことを特徴とする現像カートリッジ。
【請求項５】
請求項１ないし４のいずれかに記載の現像カートリッジであって、
前記可動カバーは、前記現像ローラの回転中心軸を中心として回転可能に支持されたことを特徴とする現像カートリッジ。
【請求項６】
請求項１ないし５のいずれかに記載の現像カートリッジであって、
前記収容部は、前記現像ローラの回転中心軸と直交する面による断面形状が、開口を有する箱状に構成されていて、
当該開口は、前記第２の位置にて、上方から落下してきた現像剤を通過させて前記箱内に収容し得るように形成されたことを特徴とする現像カートリッジ。
【請求項７】
請求項６に記載の現像カートリッジであって、
前記収容部は、
前記第２の位置にて当該収容部の底板を構成し、前記第１の位置にて前記現像ローラと対向する第１外板と、
前記第１の位置にて当該収容部の底板を構成し、前記第２の位置にて前記第１外板の端部から上方に延びるように前記第１外板に接続して設けられた第２外板と、
前記第１の位置にて前記第２外板の端部から上方に延びるように設けられ、前記第２の位置にて前記露出された前記現像ローラの周面に面しない位置に設けられた内板と、
を備えたことを特徴とする現像カートリッジ。
【請求項８】
請求項１ないし７のいずれかに記載の現像カートリッジであって、
前記第１の位置にて前記可動カバーを保持する第１保持機構と、
前記第２の位置にて前記可動カバーを保持する第２保持機構と、
を備えたことを特徴とする現像カートリッジ。
【請求項９】
請求項８に記載の現像カートリッジであって、
前記可動カバーは、前記第２の位置にて記録媒体の搬送経路に面するように構成され、
前記第２の位置にて前記可動カバーの前記搬送経路に面する部分には、前記記録媒体の搬送をガイドするリブが立設されたことを特徴とする現像カートリッジ。
【請求項１０】
請求項１ないし９のいずれかに記載の現像カートリッジであって、
前記可動カバーを前記第２の位置から前記第１の位置に向けて移動させる移動機構を備えたことを特徴とする現像カートリッジ。
【請求項１１】
請求項１０に記載の現像カートリッジであって、
前記可動カバーが前記第２の位置から前記第１の位置へ移動する際の加速度を減衰するダンパー機構を備えたことを特徴とする現像カートリッジ。
【請求項１２】
画像形成装置に対して着脱可能なプロセスカートリッジにおいて、
静電潜像が形成される像担持体と、
その像担持体を収容するプロセスケースと、
そのプロセスケースに対して着脱可能な現像カートリッジと、
を備え、
前記現像カートリッジは、
前記静電潜像を現像するための現像剤を周面に担持し得る現像ローラと、
その現像ローラの前記周面を外部に露出する開口部が形成されていて、前記現像ローラを回転可能に支持しつつ収容する現像ユニットケースと、
前記現像ローラの前記周面を覆うように当該周面に対向する第１の位置と、当該現像カートリッジが前記プロセスケースに装着された状態にて前記周面の下方に位置することで当該周面を前記像担持体に向けて露出する第２の位置と、の間で移動し得るように、前記現像ユニットケースに支持された可動カバーと、
前記可動カバーに設けられていて、前記第２の位置にて前記開口部と前記現像ローラとの隙間から漏出した現像剤を収容し得る収容部と、
を備えたことを特徴とするプロセスカートリッジ。
【請求項１３】
現像剤により画像を形成する画像形成装置において、
静電潜像が形成される像担持体と、
その像担持体と対向して脱着可能に装着された現像カートリッジと、
を備え、
前記現像カートリッジは、
前記像担持体と対向して配置されていて、前記静電潜像を現像するための現像剤を周面に担持し得る現像ローラと、
その現像ローラの前記周面を外部に露出する開口部が形成されていて、前記現像ローラを回転可能に支持しつつ収容する現像ユニットケースと、
前記現像ローラの前記周面を覆うように当該周面に対向する第１の位置と、当該周面の下方に位置することで当該周面を前記像担持体に向けて露出する第２の位置と、の間で移動し得るように、前記現像ユニットケースに支持された可動カバーと、
前記可動カバーに設けられていて、前記第２の位置にて前記開口部と前記現像ローラとの隙間から漏出した現像剤を収容し得る収容部と、
を備えたことを特徴とする画像形成装置。
【発明の詳細な説明】
【技術分野】
【０００１】
本発明は、現像剤により画像を形成する画像形成装置に関する。また、本発明は、上述の画像形成装置に対して容易に着脱され、当該画像形成装置における画像形成プロセスに用いられるプロセスカートリッジ及び現像カートリッジに関する。
【背景技術】
【０００２】
前記現像カートリッジとして、下記特許文献１に記載のものが知られている。この現像カートリッジにおいては、現像剤を収容するケースの開口部に現像ローラが回転可能に配置されている。そして、当該開口部の長手方向における両端部には、現像剤の漏れを抑制するセーフガード部材が設けられている。かかる構成によれば、万一現像剤が前記開口部の前記両端部にて外部に漏れ出そうとしても、前記セーフガード部材によって当該現像剤が堰き止められ得る。
【特許文献１】特開２００１−６００４０号公報
【発明の開示】
【発明が解決しようとする課題】
【０００３】
しかしながら、上述の構成によっても、使用者が現像カートリッジを交換する際に、使用済みの現像カートリッジにおける前記セーフガード部材にて堰き止められていた現像剤が、当該セーフガード部材を乗り越えて前記ケースの外部に漏れ出し、画像形成装置の外部（例えば、使用済みの現像カートリッジの回収ボックス内）にて拡散される可能性があった。
【課題を解決するための手段及び発明の効果】
【０００４】
本発明は、上述した課題を解決するためになされたものであり、その目的は、現像剤の拡散が抑制され得る現像カートリッジ、プロセスカートリッジ、及び画像形成装置を提供することにある。
【０００５】
本発明の対象となる現像カートリッジは、現像ローラと、現像ユニットケースと、を備え、画像形成装置に対して着脱可能に構成されている（なお、ここでいう「画像形成装置に対して着脱可能」とは、当該現像カートリッジが、前記画像形成装置に対して着脱可能な他のカートリッジ（例えばプロセスカートリッジ）に対して着脱可能な場合を含む。すなわち、この場合、当該現像カートリッジは、前記他のカートリッジを介して前記画像形成装置に対して着脱可能に構成されている。）。前記現像ローラは、像担持体に形成された静電潜像を現像するための現像剤を周面に担持し得るように構成されている。前記現像ユニットケースには、前記現像ローラの前記周面を外部に露出する開口部が形成されている。当該現像ユニットケースは、前記現像ローラを回転可能に支持しつつ収容し得るように構成されている。
【０００６】
本発明の対象となるプロセスカートリッジは、静電潜像が形成される前記像担持体と、前記像担持体を収容するプロセスケースと、そのプロセスケースに対して着脱可能な前記現像カートリッジと、を備えている。
【０００７】
本発明の対象となる画像形成装置は、静電潜像が形成される前記像担持体と、前記像担持体と対向して脱着可能に装着された前記現像カートリッジと、を備えている（なお、ここでいう「脱着可能に装着された前記現像カートリッジ」とは、上述と同様に、前記他のカートリッジ（例えば前記像担持体を収容したプロセスカートリッジ）を介して当該画像形成装置に対して脱着可能に装着された場合を含む。）。前記現像カートリッジは、前記現像ローラと、前記現像ユニットケースとを備えている。前記現像ローラは、前記像担持体と対向して配置されていて、前記静電潜像を現像するための現像剤を周面に担持し得るように構成されている。
【０００８】
（１）上述の目的を達成するため、本発明の特徴は、可動カバーと収容部とを備えたことにある。前記可動カバーは、前記開口部から露出された前記現像ローラの前記周面を覆うように当該周面に対向する第１の位置と、当該周面を外部に露出する第２の位置（前記周面の下方）との間で移動し得るように、前記現像ユニットケースに支持されている。前記収容部は、前記第２の位置にて前記開口部と前記現像ローラとの隙間から漏出した現像剤を収容し得るように、前記可動カバーに設けられている。
【０００９】
かかる構成によれば、前記現像カートリッジが前記画像形成装置から脱着される際、前記現像カートリッジに備えられた前記可動カバーの位置が前記第１の位置に設定される。これにより、前記可動カバーは、前記現像ユニットケースの前記開口部から露出された前記現像ローラの前記周面を覆うように、当該周面に対向する。よって、前記現像カートリッジが前記画像形成装置から脱着された際に、前記現像ローラの前記周面が保護され得る。
【００１０】
また、前記現像カートリッジが前記画像形成装置に装着される際、前記可動カバーの位置が前記第２の位置に設定される。これにより、前記可動カバーに形成された前記収容部は、前記現像ユニットケースの前記開口部から露出された前記現像ローラの前記周面の下方に位置する。よって、前記収容部は、前記第２の位置にて、画像形成動作時に前記開口部と前記現像ローラとの隙間から漏出した現像剤を収容し得る。
【００１１】
（２）ここで、例えば、前記構成（１）における前記収容部は、少なくとも前記現像ローラの両端部に対応して設けられていてもよい。
【００１２】
かかる構成によれば、画像形成動作時に、前記現像ローラの前記両端部と前記開口部との隙間から漏出した現像剤が、前記収容部によって収容され得る。
【００１３】
（３）また、例えば、前記構成（１）〜（２）における前記収容部は、少なくとも前記現像ローラの回転中心軸方向における中央部に対応して設けられていてもよい。
【００１４】
かかる構成によれば、画像形成動作時に、前記現像ローラの前記中央部と前記開口部との隙間から漏出した現像剤が、前記収容部によって収容され得る。
【００１５】
（４）また、例えば、前記構成（１）〜（３）における前記収容部は、前記現像ローラの回転中心軸方向における幅よりも広い幅に形成されていてもよい。
【００１６】
かかる構成によれば、画像形成動作時に、前記収容部によって、前記現像ローラの幅よりも広い領域で、前記開口部と前記現像ローラとの隙間から漏出した現像剤が収容され得る。
【００１７】
（５）また、例えば、前記構成（１）〜（４）における前記可動カバーは、前記現像ローラの回転中心軸を中心として回転可能に支持されていてもよい。かかる構成によれば、簡易な構造で上述の各構成を実現することができる。
【００１８】
（６）また、例えば、前記構成（１）〜（５）における前記収容部の、前記現像ローラの回転中心軸と直交する面による断面形状が、開口を有する箱状に構成されていて、当該開口が、前記第２の位置にて、上方から落下してきた現像剤を通過させて前記箱内に収容し得るように形成されていてもよい。
【００１９】
かかる構成によれば、画像形成動作時に、前記現像ユニットケースの前記開口部と前記現像ローラとの隙間から漏出した現像剤は、前記収容部における前記開口を通過して前記箱内に収容される。その後、前記現像カートリッジが前記画像形成装置から脱着される際、前記可動カバーの位置が、前記現像ローラの前記周面を覆うように当該周面に対向する前記第１の位置に設定される。このとき、前記収容部によって収容された前記現像剤は、外部に漏れないように、前記箱内にて保持され得る。
【００２０】
（７）また、例えば、前記構成（６）における前記収容部は、第１外板と、第２外板と、内板とから構成されていてもよい。前記第１外板は、前記第２の位置にて当該収容部の底板を構成し、前記第１の位置にて前記現像ローラと対向するように構成されている。前記第２外板は、前記第１の位置にて当該収容部の底板を構成し、前記第２の位置にて前記第１外板の端部から上方に延びるように前記第１外板に接続して設けられている。前記内板は、前記第１の位置にて前記第２外板の端部から上方に延びるように設けられ、前記第２の位置にて前記露出された前記現像ローラの前記周面に面しない位置に設けられている。
【００２１】
かかる構成によれば、画像形成動作時においては、前記可動カバーの位置が前記第２の位置に設定されることで、当該可動カバーに形成された前記収容部は、前記現像ユニットケースの前記開口部から露出された前記現像ローラの前記周面の下方に位置する。このとき、前記第１外板は、前記収容部における底板を構成する。また、前記内板は、前記現像ローラの前記周面に面しない位置（すなわち前記現像剤の前記第１外板上への落下を遮らない位置）にある。よって、画像形成動作時に、前記現像ユニットケースの前記開口部と前記現像ローラとの隙間から漏出した現像剤は、前記内板によって遮られることなく、前記第２の位置に設定された前記収容部における前記開口を通過して、前記収容部における底板を構成する前記第１外板の上に堆積する。
【００２２】
その後、前記現像カートリッジが前記画像形成装置から脱着される際、前記可動カバー及び前記収容部の位置が、前記現像ローラの前記周面を覆うように当該周面に対向する前記第１の位置に設定される。このとき、前記第１外板は、前記現像ローラと対向する。また、前記第２外板は、前記収容部の底板を構成する。さらに、前記内板は、前記第２外板の端部から上方に延びるように設けられている。よって、前記収容部によって収容された前記現像剤は、前記第１外板、前記第２外板、及び前記内板からなる前記箱内にて収容され得る。
【００２３】
（８）また、例えば、前記（１）〜（７）の構成に加えて、更に、前記第１の位置にて前記可動カバーを保持する第１保持機構と、前記第２の位置にて前記可動カバーを保持する第２保持機構と、を備えていてもよい。
【００２４】
かかる構成によれば、前記現像カートリッジが前記画像形成装置から脱着される際、前記現像カートリッジに備えられた前記可動カバーの位置が前記第１の位置に設定される。そして、前記第１保持機構により、前記可動カバーが前記第１の位置にて保持される。これにより、前記現像カートリッジが前記画像形成装置から脱着された際に、前記可動カバーによって、前記現像ローラの前記周面が確実に保護され得る。
【００２５】
また、前記現像カートリッジが前記画像形成装置に装着される際、前記可動カバーの位置が前記第２の位置に設定される。そして、前記第２保持機構により、前記可動カバーが前記第２の位置にて保持される。これにより、画像形成動作時に、前記収容部によって、前記第２の位置にて、前記開口部と前記現像ローラとの隙間から漏出した現像剤が収容され得る。
【００２６】
（９）また、例えば、前記構成（８）における前記可動カバーは、前記第２の位置にて記録媒体の搬送経路に面するように構成されていて、前記第２の位置にて前記可動カバーの前記搬送経路に面する部分には、前記記録媒体の搬送をガイドするリブが立設されていてもよい。
【００２７】
かかる構成によれば、画像形成動作時にて、前記可動カバーの位置が前記第２の位置に設定されている。このとき、前記可動カバーの前記搬送経路に面する部分から、前記ガイドリブが前記搬送経路に向けて突出している。このガイドリブによって、画像形成動作時における前記記録媒体の搬送がガイドされる。
【００２８】
（１０）また、例えば、前記（１）〜（９）の構成に加えて、更に、前記可動カバーを前記第２の位置から前記第１の位置に向けて移動させる移動機構を備えていてもよい。この移動機構としては、例えば、金属や合成樹脂による弾性を利用した構成（可動カバーと現像ユニットケースとの間に掛け渡されたコイルスプリングや、可動カバーの回転中心の周りに配置されたつるまきバネ等）が好適に用いられ得る。
【００２９】
かかる構成によれば、前記現像カートリッジが前記画像形成装置から脱着される際、前記移動機構により、前記現像カートリッジに備えられた前記可動カバーが、前記第２の位置から前記第１の位置に移動される。
【００３０】
（１１）また、例えば、前記（１０）の構成に加えて、更に、前記可動カバーが前記第２の位置から前記第１の位置へ移動する際の加速度を減衰するダンパー機構を備えていてもよい。このダンパー機構としては、例えば、ゲル状物質の粘性や圧力を利用した構成（可動カバーと現像ユニットケースとの接触部に充填されたグリースや、可動カバーと現像ユニットケースとの間に掛け渡されたオイルダンパー機構等）が好適に用いられ得る。
【００３１】
かかる構成によれば、前記現像カートリッジに備えられた前記可動カバーが前記移動機構によって前記第２の位置から前記第１の位置に移動される際、前記ダンパー機構によって、前記可動カバーの加速度が減衰される。これにより、可動カバーの移動の際に、当該可動カバー内に収容されている現像剤が外部に飛散することが抑制される。
【発明を実施するための最良の形態】
【００３２】
以下、本発明の実施形態（本願の出願時点において取り敢えず出願人が最良と考えている実施形態）について、図面を参照しつつ説明する。
【００３３】
＜レーザプリンタの全体構成＞
図１は、本発明の画像形成装置の一実施形態であるレーザプリンタ１００の側断面図である。
【００３４】
レーザプリンタ１００は、本体部１１０と、その本体部１１０に記録媒体（用紙）を供給するためのフィーダユニット１２０とを備えている。本体部１１０内には、用紙上に現像剤（トナー）による像を形成するためのプロセスカートリッジ１３０が脱着自在に装着されている。また、本体部１１０内には、プロセスカートリッジ１３０に備えられた感光ドラム１３３にレーザ光を照射するスキャナユニット１４０が配置されている。また、本体部１１０内には、プロセスカートリッジ１３０に向けて用紙を供給するための給紙部１５０と、プロセスカートリッジ１３０によって用紙上に形成されたトナーによる像を用紙上に定着させるための定着ユニット１６０と、その定着ユニット１６０を経た用紙をレーザプリンタ１００の外部に排出する排紙部１７０とが配置されている。
【００３５】
＜「用紙搬送方向」・「用紙幅方向」・「前面」・「背面」の説明＞
当該レーザプリンタ１００は、用紙が用紙搬送経路ＰＰ（paper  path：２点鎖線）に沿って搬送されるように構成されている。よって、以下の説明では、図１における用紙搬送経路ＰＰに沿ってフィーダユニット１２０から排紙部１７０に向かう方向を「用紙搬送方向」と称する。
【００３６】
また、レーザプリンタ１００における図中右側の端部を、レーザプリンタ１００の「前面」と称し、レーザプリンタ１００における図中左側の端部を、レーザプリンタ１００の「背面」と称する。
【００３７】
さらに、図１における前記用紙搬送方向及び上下方向（レーザプリンタ１００の高さ方向）と垂直な方向（すなわち図１の紙面の法線方向：レーザプリンタ１００の幅方向）を「用紙幅方向」と称する。
【００３８】
＜本体部のケーシングの構成＞
外側カバー１１１は、本体部１１０のケーシングを構成する略直方体形状の部材であり、合成樹脂板により一体に形成されている。この外側カバー１１１は、当該本体部１１０内に収容される各種の部材を支持するための図示しないメインフレームを覆うように設けられている。外側カバー１１１の上面１１１ａには、排紙トレイ１１１ｂが形成されている。この排紙トレイ１１１ｂは、上面１１１ａの前面側から背面側に向かって斜め下方に延びるように形成された斜面から構成されている。すなわち、排紙トレイ１１１ｂは、上面１１１ａに形成された凹部からなる。外側カバー１１１の上部であって、排紙トレイ１１１ｂの下端部の上方には、開口部からなる排紙口１１１ｃが形成されている。排紙トレイ１１１ｂは、排紙口１１１ｃから排出された用紙を受け止め得るように構成されている。
【００３９】
外側カバー１１１の前面側には、開口部が形成されていて、この開口部を塞ぐように板状の前面カバー１１２が装着されている。この前面カバー１１２の下端には、当該前面カバー１１２の回転中心を構成する穴１１２ａが形成されている。外側カバー１１１の前記開口部には、図示しない一対のピンが、用紙幅方向に沿って立設されている。このピンが外側カバー１１１の穴１１２ａに挿入されることで、前面カバー１１２は、当該ピンを中心に用紙搬送方向に沿って開閉可能に支持されている。
【００４０】
＜フィーダユニットの構成＞
フィーダユニット１２０のケーシングを構成するフィーダケース１２１は、その内側にシート状の用紙を積層状態にて多数収容し得るように構成されている。このフィーダケース１２１内には、用紙押圧板１２３及び分離パッド１２５が配置されている。
【００４１】
用紙押圧板１２３は、背面側（図１における分離パッド１２５から遠い方）の端部を中心に揺動可能に支持されている。用紙押圧板１２３の前面側（図１における分離パッド１２５に近い方）の端部は、図示しないバネによって上方に付勢されている。分離パッド１２５は、フィーダケース１２１における前面側の端部近傍であって、用紙押圧板１２３よりも用紙搬送方向における下流側に配置されていて、下方から図示しないバネによって上方に付勢されている。分離パッド１２５の上側の表面は、ゴム等の、用紙よりも摩擦係数が高い材質によって構成されている。
【００４２】
＜プロセスカートリッジの概略構成＞
図２は、プロセスカートリッジ１３０の着脱の際の様子を示す図である。図２に示されているように、本実施形態のレーザプリンタ１００は、前面カバー１１２が前面側（図中右側）に開かれることで、プロセスカートリッジ１３０が当該レーザプリンタ１００の前面側から装着・脱着され得るように構成されている。
【００４３】
再び図１を参照すると、プロセスカートリッジ１３０のケーシングを構成するプロセスケース１３１には、現像カートリッジ１３２が脱着可能に装着されている。すなわち、当該現像カートリッジ１３２は、プロセスケース１３１を介して、レーザプリンタ１００の本体部１１０に対して脱着可能に装着されている。
【００４４】
また、プロセスケース１３１内には、静電潜像が形成される感光ドラム１３３が収容されている。この感光ドラム１３３は、画像形成時に、用紙の搬送と同期して回転軸１３３ｂを中心に図中矢印方向に回転され得るように、プロセスケース１３１によって支持されている。感光ドラム１３３の上方には、当該感光ドラム１３３の周面を一様に帯電させるための帯電器１３４が配置されている。この帯電器１３４は、プロセスケース１３１によって支持されている。プロセスケース１３１の上部には、スリット１３１ｔが形成されている。このスリット１３１ｔを通して、画像情報に応じて変調されたレーザ光が感光ドラム１３３に照射されることで、感光ドラム１３３の周面上に静電潜像が形成され得るようになっている。
【００４５】
プロセスケース１３１内には、感光ドラム１３３の周面上に担持されたトナーを用紙に転写するための転写ローラ１３５が収容されている。この転写ローラ１３５は、その周面の上部が感光ドラム１３３と対向するように、感光ドラム１３３の下方で且つプロセスカートリッジ１３０の底部に配置されている。転写ローラ１３５は、プロセスケース１３１によって回転軸１３５ｂを中心に回転可能に支持されていて、画像形成時に感光ドラム１３３の図中矢印方向の回転と同期して図中矢印方向に回転するようになっている。転写ローラ１３５の底部は、プロセスケース１３１の一部を構成する転写ローラカバー１３１ａによって覆われている。この転写ローラカバー１３１ａの内面は、用紙搬送経路ＰＰと対向するように設けられていて、用紙を感光ドラム１３３と転写ローラ１３５との間に誘導し得るように構成されている。
【００４６】
プロセスケース１３１内には、感光ドラム１３３の周面をクリーニングするためのクリーニング部１３６が配置されている。このクリーニング部１３６は、転写ローラ１３５と用紙搬送経路ＰＰを挟んで対向する位置よりも感光ドラム１３３の回転方向における下流側の感光ドラム１３３の周面と、所定の圧力をもって接触するように配置されている。
【００４７】
＜現像カートリッジの概略構成＞
現像カートリッジ１３２は、感光ドラム１３３の周面上に形成された静電潜像をトナーによって現像して当該トナーによる像を当該周面上に形成し得るように、当該感光ドラム１３３の側方に配置されている。すなわち、現像カートリッジ１３２は、感光ドラム１３３の周面に対してトナーを供給可能に構成されている。具体的構成は以下の通りである。
【００４８】
現像カートリッジ１３２のケーシングを構成する現像ユニットケース１３２ａ内には、前記静電潜像を現像するための現像剤としてのトナーが収容されている。また、現像ユニットケース１３２ａにおける、感光ドラム１３３と対向する位置には、用紙幅方向に長手方向を有する開口部１３２ａ１が形成されている。現像ローラ１３２ｂは、その周面の略半分程度が開口部１３２ａ１から現像ユニットケース１３２ａの外部に露出するように、当該現像ユニットケース１３２ａ内に収容されている。現像ローラ１３２ｂの回転軸１３２ｂ１は、前記用紙幅方向に沿って配置されていて、現像ユニットケース１３２ａの開口部１３２ａ１の近傍位置にて、現像ユニットケース１３２ａによって支持されている。そして、現像ローラ１３２ｂは、画像形成時にて図中矢印方向に回転駆動されることで、当該現像ローラ１３２ｂの周面上に担持されたトナーを感光ドラム１３３の周面に対して供給し得るようになっている。
【００４９】
供給ローラ１３２ｃは、現像ローラ１３２ｂよりも現像ユニットケース１３２ａの内側寄りに配置されている。そして、供給ローラ１３２ｃは、現像ローラ１３２ｂの周面に対して接触又は押圧されるように配置されている。供給ローラ１３２ｃは、現像ユニットケース１３２ａによって、回転軸１３２ｃを中心に回転可能に支持されていて、画像形成時にて図中矢印方向に回転駆動されることで、帯電したトナーを現像ローラ１３２ｂの周面上に担持させ得るようになっている。
【００５０】
現像ユニットケース１３２ａには、現像ローラ１３２ｂの周面上のトナーの量及び帯電量を調整するためのブレード１３２ｄが装着されている。具体的には、ブレード１３２ｄ及びブレードホルダー１３２ｅが図示しない複数のネジによって現像ユニットケース１３２ａに固定されることで、ブレード１３２ｄは、ブレードホルダー１３２ｅと現像ユニットケース１３２ａとによって挟まれるように支持されている。ブレード１３２ｄは、金属製の薄板材であるブレード本体の先端にゴムチップが装着されることによって形成されている。このブレード１３２ｄは、前記ブレード本体の撓みによって前記ゴムチップが現像ローラ１３２ｂの周面と所定の圧力をもって接触することで、現像ローラ１３２ｂの周面上のトナーの量及び帯電量が調整され得るように構成されている。
【００５１】
現像ユニットケース１３２ａには、現像カートリッジ１３２が単体でレーザプリンタ１００の外部に置かれている場合（例えば、使用前の新品の現像カートリッジ１３２が梱包材の外に出された場合や、使用後の現像カートリッジ１３２がプロセスケース１３１から脱着された場合等）に現像ローラ１３２ｂを保護するための可動カバー１３２ｆが装着されている。この可動カバー１３２ｆは、現像ユニットケース１３２ａによって、現像ローラ１３２ｂの回転軸１３２ｂ１を中心として回転可能に支持されている。可動カバー１３２ｆの詳細な構成については後述する。
【００５２】
上述の構成を有する現像カートリッジ１３２がプロセスケース１３１に装着された場合に、現像ローラ１３２ｂの周面が感光ドラム１３３の周面と接触又は近接するように、現像カートリッジ１３２及びプロセスケース１３１が構成されている。
【００５３】
＜スキャナユニットの構成＞
スキャナユニット１４０は、プロセスケース１３１内の上部に配置されている。スキャナユニット１４０は、スキャナケース１４１と、ポリゴンミラー１４２と、反射鏡１４３，１４４，及び１４５とを備えている。ポリゴンミラー１４２は、所定の回転数で回転駆動され得るように、スキャナケース１４１に固定された図示しないモータの回転駆動軸によって支持されている。このポリゴンミラー１４２は、前記モータによって回転駆動されつつ、図示しないレーザ発光部にて画像データに基づいて生成されたレーザビームを反射することで、当該レーザビームを用紙幅方向に沿って走査し得るように構成されている。反射鏡１４３，１４４，及び１４５は、ポリゴンミラー１４２にて反射されたレーザビーム（一点鎖線）を感光ドラム１３３の周面上に照射し得るように、スキャナケース１４１内にて支持されている。
【００５４】
＜給紙部の構成＞
給紙部１５０は、給紙ローラ１５１と、紙粉除去ローラ１５２と、用紙ガイド１５３，１５４と、レジストローラ１５５とから構成されている。給紙ローラ１５１は、本体部１１０の前記メインフレーム（図示せず）によって回転可能に支持されている。この給紙ローラ１５１は、その周面が分離パッド１２５と所定の圧力をもって接するように、当該分離パッド１２５と対向して配置されている。紙粉除去ローラ１５２は、分離パッド１２５よりも前面側（給紙時の給紙ローラ１５１の回転方向における下流側）にて、前記メインフレームによって回転可能に支持されている。この紙粉除去ローラ１５２は、その周面が給紙ローラ１５１と接するように配置されている。用紙ガイド１５３は、用紙が用紙搬送経路ＰＰに沿って搬送され得るように、用紙をガイドするための部材であり、本体部１１０内にて適宜の位置・個数で配置されている。レジストローラ１５５は、用紙の向き及び搬送タイミングを調整するためのローラ対であって、感光ドラム１３３と転写ローラ１３５とが対向する位置よりも用紙搬送方向上流側に配置されている。
【００５５】
＜定着ユニットの構成＞
定着ユニット１６０は、感光ドラム１３３と転写ローラ１３５とが対向する位置よりも用紙搬送方向下流側に配置されている。定着ユニット１６０は、定着ユニットカバー１６１と、ヒートローラ１６２と、加圧ローラ１６３と、を備えている。定着ユニットカバー１６１は、プロセスカートリッジ１３０が可及的に加熱されないように当該プロセスカートリッジ１３０とヒートローラ１６２及び加圧ローラ１６３との間に介在する部材である。この定着ユニットカバー１６１における、用紙搬送経路ＰＰと交差する位置には、用紙入口１６１ａ及び用紙出口１６１ｂが形成されている。ヒートローラ１６２は、表面が離型処理された金属製の円筒内にハロゲンランプを収容してなり、図示しないモータによって図中矢印方向（時計回り）に回転駆動され得るように、定着ユニットカバー１６１内にて回転可能に支持されている。加圧ローラ１６３は、シリコンゴム製のローラであり、ヒートローラ１６２に対して所定の圧力をもって押圧されつつ当該ヒートローラ１６２に従動して図中矢印方向（反時計回り）に回転され得るように、定着ユニットカバー１６１内にて回転可能に支持されている。
【００５６】
＜排紙部の構成＞
排紙部１７０は、用紙搬送ローラ１７１と、排紙ローラ１７２と、用紙ガイド１７３とから構成されている。用紙搬送ローラ１７１は、図示しないモータによって回転駆動される一対のローラ対であって、定着ユニット１６０の用紙出口１６１ｂの近傍に配置されている。排紙ローラ１７２は、図示しないモータによって回転駆動される一対のローラ対であって、排紙口１１１ｃの近傍に配置されている。用紙ガイド１７３は、用紙を用紙搬送ローラ１７１から用紙搬送経路ＰＰに沿って排紙ローラ１７２までガイドするための部材である。
【００５７】
＜現像カートリッジの可動カバー周辺の詳細な構成＞
図３は、図１に示した現像カートリッジ１３２の斜視図である。ここで、図３（ａ）は、現像カートリッジ１３２がプロセスカートリッジ１３０のプロセスケース１３１から脱着された状態（以下、「脱着状態」と称する）を示している。図３（ｂ）は、現像カートリッジ１３２がプロセスケース１３１に装着された状態（以下、「装着状態」と称する）を示している。また、図４は、可動カバー１３２ｆの側断面図である。ここで、図４（ａ）は、図３（ａ）の前記脱着状態と対応し、図４（ｂ）は、図３（ｂ）の前記装着状態と対応している。さらに、図５は、図３に示した現像カートリッジ１３２が装着された状態のプロセスカートリッジ１３０の斜視図である。
【００５８】
まず図３を参照すると、現像ユニットケース１３２ａは、現像ローラ１３２ｂの回転軸１３２ｂ１等の回転軸を支持する一対のサイドフレーム１３２ａ２を備えている。このサイドフレーム１３２ａ２の、用紙搬送方向における下流側の端部には、図１に示した開口部１３２ａ１が形成されているとともに、現像ローラ１３２ｂの回転軸１３２ｂ１が掛け渡されるように支持されている。この回転軸１３２ｂ１の端部によって、可動カバー１３２ｆは、図３（ａ）の前記脱着状態における第１の位置と、図３（ｂ）の前記装着状態における第２の位置との間で回転可能に支持されている。ここで、「第１の位置」とは、図３（ａ）に示されているように、現像ユニットケース１３２ａの開口部１３２ａ１（図１参照）から露出された現像ローラ１３２ｂの周面を覆うように当該周面に対向する位置である。また、「第２の位置」とは、図１及び図３（ｂ）に示されているように、現像ユニットケース１３２ａの開口部１３２ａ１（図１参照）から露出された現像ローラ１３２ｂの周面の下方の位置である。可動カバー１３２ｆの位置が当該第２の位置に設定された状態で、現像ユニットケース１３２ａの開口部１３２ａ１（図１参照）から露出された現像ローラ１３２ｂの周面が、現像カートリッジ１３２の外部に向けて露出され得るように、可動カバー１３２ｆが構成されている。
【００５９】
＜＜可動カバーの詳細な構成＞＞
可動カバー１３２ｆは、本発明の収容部を構成するカバー本体１３２ｆ１と、そのカバー本体１３２ｆ１から図３（ａ）における下方に延びるように設けられたフック１３２ｆ２とを備えている。また、図３（ａ）に示されているように、カバー本体１３２ｆ１の外面には複数のガイドリブ１３２ｆ３が形成されている。このガイドリブ１３２ｆ３は、可動カバー１３２ｆの位置が上述の第２の位置に設定された場合に、図１に示されている用紙搬送経路ＰＰと対向するように立設されている。
【００６０】
図４に示されているように、カバー本体１３２ｆ１は、第１外板１３２ｆ４と、天板１３２ｆ５と、第２外板１３２ｆ６と、内板１３２ｆ７とから構成されている。第１外板１３２ｆ４は、図３（ａ）及び図４（ａ）に示されているように、前記第１の位置にて現像ローラ１３２ｂの周面を覆うように当該周面と対向する板状部材から構成されている。この第１外板１３２ｆ４の外面には、上述のガイドリブ１３２ｆ３が立設されている。
【００６１】
図４（ａ）に示されているように、天板１３２ｆ５は、第１外板１３２ｆ４の端部（図４（ａ）における上端部）から延びるように設けられていて、前記第１の位置にてカバー本体１３２ｆ１の天板を構成する板状部材からなる。第２外板１３２ｆ６は、前記第１の位置にてカバー本体１３２ｆ１の底板を構成する板状部材からなる。内板１３２ｆ７は、前記第１の位置にて前記第２外板１３２ｆ６の端部から上方に延びるように設けられた板状部材からなる。
【００６２】
また、図４（ｂ）に示されているように、第１外板１３２ｆ４によって、前記第２の位置におけるカバー本体１３２ｆ１の底板が構成されている。第２外板１３２ｆ６は、前記第２の位置にて第１外板１３２ｆ４の端部から上方に延びるように、前記第１外板１３２ｆ４に接続されている。内板１３２ｆ７は、前記第２の位置にて前記露出された前記現像ローラ１３２ｂの周面に面しない位置に配置されるようになっている。そして、天板１３２ｆ５の先端と内板１３２ｆ７の先端とによって開口１３２ｆ８が形成されている。
【００６３】
かかる構成を有するカバー本体１３２ｆ１は、前記第２の位置にて、開口１３２ｆ８の上方から落下してくるトナーを、第１外板１３２ｆ４と、天板１３２ｆ５と、第２外板１３２ｆ６と、内板１３２ｆ７とで形成された箱状の空間内に収容し得るようになっている。
【００６４】
＜＜保持機構・移動機構・ダンパー機構の実施例＞＞
フック１３２ｆ２は、図５に示されているように、現像カートリッジ１３２がプロセスカートリッジ１３０のプロセスケース１３１に装着された状態で、プロセスケース１３１に形成された係合孔１３１ｆと係合することで、当該可動カバー１３２ｆを図３（ｂ）に示されている前記第２の位置に保持し得るように構成されている。すなわち、本実施形態においては、フック１３２ｆ２によって、可動カバー１３２ｆを前記第２の位置に保持する保持機構が構成されている。
【００６５】
再び図３を参照すると、カバー本体１３２ｆ１は、現像ローラ１３２ｂの長手方向（用紙幅方向）における幅よりも広幅に構成されている。すなわち、カバー本体１３２ｆ１は、前記第２の位置にて、現像ローラ１３２ｂの長手方向における中央部及び両端部から漏れ出したトナーを確実に収容し得るように構成されている。
【００６６】
カバー本体１３２ｆ１の長手方向（用紙幅方向）における両端部には、現像ローラ１３２ｂの回転軸１３２ｂ１に貫通されるように、軸受板１３２ｆ９が形成されている。
【００６７】
上述の構成を有する可動カバー１３２ｆは、合成樹脂の射出成形により一体に形成されている。また、可動カバー１３２ｆは、現像ローラ１３２ｂの回転軸１３２ｂ１の端部を覆う円筒形状のカラー１３２ｇと一体成形されている。このカラー１３２ｇは、現像カートリッジ１３２とプロセスケース１３１とが着脱される際に、当該プロセスケース１３１が金属製の回転軸１３２ｂ１との摩擦によって磨耗しないように、当該プロセスケース１３１に形成された凹部に対して係合される部材である。
【００６８】
サイドフレーム１３２ａ２の外側には、サイドカバー１３２ｈが装着されている。サイドカバー１３２ｈには、現像ローラ１３２ｂの回転軸１３２ｂ１が貫通されている。サイドカバー１３２ｈは、その外面が可動カバー１３２ｆの軸受板１３２ｆ９と接触するように形成されていて、可動カバー１３２ｆの前記第１の位置と前記第２の位置との間の回動によって当該外面と軸受板１３２ｆ９とが摺動するように構成されている。また、サイドカバー１３２ｈにおける当該摺動部分の上方と、可動カバー１３２ｆ（図４における天板１３２ｆ５）との間には、コイルスプリング１３２ｋが掛け渡されている。このコイルスプリング１３２ｋは、図３（ａ）に示された状態にて自然長を有していて、可動カバー１３２ｆを、図３（ｂ）に示されている前記第２の位置から図３（ａ）に示されている前記第１の位置に向けて弾性力によって移動させ得るように構成されている。すなわち、本実施形態においては、コイルスプリング１３２ｋによって、可動カバー１３２ｆを第２の位置から第１の位置に向けて移動させる移動機構が構成されている。
【００６９】
本実施形態の現像カートリッジ１３２は、図３（ａ）に示されているような、他の装置やカートリッジに装着されていない状態において、可動カバー１３２ｆの天板１３２ｆ５（図４参照）の先端がサイドフレーム１３２ａ２と当接することで、可動カバー１３２ｆが図３（ａ）に示された状態にて保持され得るように構成されている。すなわち、本実施形態においては、可動カバー１３２ｆの天板１３２ｆ５の先端と、サイドフレーム１３２ａ２とによって、可動カバー１３２ｆを前記第１の位置に保持する保持機構が構成されている。
【００７０】
上述のサイドカバー１３２ｈの外面と軸受板１３２ｆ９との摺動部分には、グリースＧが充填されている。このグリースＧは、可動カバー１３２ｆが前記第２の位置から前記第１の位置に向けて移動する際に当該可動カバー１３２ｆに加わる加速度を減衰し得る程度に、比較的粘度の高い材質から構成されている。すなわち、本実施形態においては、サイドカバー１３２ｈ、軸受板１３２ｆ９、及びグリースＧによって、可動カバー１３２ｆが前記第２の位置から前記第１の位置へ移動する際の加速度を減衰するダンパー機構が構成されている。
【００７１】
＜実施形態の構成による作用・効果＞
次に、現像カートリッジ１３２がプロセスカートリッジ１３０のプロセスケース１３１に装着される際、及び現像カートリッジ１３２がプロセスケース１３１から脱着される際の様子について、各図面を参照しつつ説明する。
【００７２】
プロセスケース１３１に装着される前の、使用前の新品の状態の現像カートリッジ１３２は、図３（ａ）に示されている前記脱着状態となっている。この脱着状態においては、可動カバー１３２ｆが前記第１の位置にて保持されている。すなわち、当該可動カバー１３２ｆによって、現像ローラ１３２ｂの周面が覆われている（保護されている）。よって、現像カートリッジ１３２の製造時から、使用者が現像カートリッジ１３２を梱包材から取り出すまでの間、現像ローラ１３２ｂの周面に傷が付かないように当該現像ローラ１３２ｂが保護され得る。また、前記脱着状態において、使用前の現像ローラ１３２ｂの周面が使用者の手や衣服等と接触することで当該周面に汚れや異物が付着することが抑制され得る。
【００７３】
前記脱着状態においては、フック１３２ｆ２が可動カバー１３２ｆのカバー本体１３２ｆ１から下方に突出している。ここで、フック１３２ｆ２の先端がプロセスケース１３１の係合孔１３１ｆに係合されるように、現像カートリッジ１３２が斜め下方に向けてプロセスケース１３１内に挿入される。すると、可動カバー１３２ｆがコイルスプリング１３２ｋの弾性力に抗して図３（ｂ）に示されている状態となるまで回転し、フック１３２ｆ２が係合孔１３１ｆに係合される。これにより、図５に示されているように、可動カバー１３２ｆが前記第２の位置にて保持された状態で、現像カートリッジ１３２がプロセスケース１３１に装着される。
【００７４】
現像カートリッジ１３２がプロセスカートリッジ１３０のプロセスケース１３１に装着された前記装着状態においては、可動カバー１３２ｆのカバー本体１３２ｆ１は、開口１３２ｆ８（図４（ｂ）参照）を上方に向けた状態で、現像ユニットケース１３２ａの開口部１３２ａ１から露出された現像ローラ１３２ｂの周面の下方に位置する。したがって、前記脱着状態においては現像ローラ１３２ｂの保護のために必要である一方で前記装着状態（画像形成動作が行われる際）においては不必要な可動カバー１３２ｆが、当該装着状態において、現像カートリッジ１３２に装着されたままの状態で、現像位置（現像ローラ１３２ｂと感光ドラム１３３とが対向する位置）から退避され得る。また、カバー本体１３２ｆ１によって、画像形成動作時に開口部１３２ａ１と現像ローラ１３２ｂとの隙間から漏出した現像剤が、図４（ｂ）における開口１３２ｆ８を通過して、第１外板１３２ｆ４と、天板１３２ｆ５と、第２外板１３２ｆ６と、内板１３２ｆ７とで形成された箱状の空間内に収容され得る。かかる箱状の空間は、現像ローラ１３２ｂの用紙幅方向の幅よりも広く形成されている。よって、上述の隙間から漏出した現像剤のレーザプリンタ１００の本体部１１０内での飛散が抑制され、当該現像剤が効果的に回収され得る。
【００７５】
前記装着状態においては、図１に示されているように、可動カバー１３２ｆの位置が現像ローラ１３２ｂの下方である第２の位置に設定されることで、当該現像ローラ１３２ｂの周面が感光ドラム１３３に対して露出されるとともに、当該可動カバー１３２ｆの外面が用紙搬送経路ＰＰに面するように保持される。この可動カバー１３２ｆの外面には、用紙搬送をガイドするガイドリブ１３２ｆ３が形成されているので、用紙がプロセスカートリッジ１３０内をスムーズに通過し得る。
【００７６】
その後、（例えば、現像剤の内蔵量が少なくなって現像カートリッジ１３２が交換される場合や、用紙ジャムを処理する場合等）現像カートリッジ１３２がプロセスケース１３１から脱着されてレーザプリンタ１００の本体部１１０の外部に取り出される場合、可動カバー１３２ｆは、図３（ｂ）に示されている前記第２の位置から、コイルスプリング１３２ｋの弾性力によって、図３（ａ）に示されている前記第１の位置に移動する。よって、使用者の手動で可動カバー１３２ｆを操作することなく、単に現像カートリッジ１３２をプロセスカートリッジ１３０のプロセスケース１３１から脱着するだけで、可動カバー１３２ｆの移動が行われる。したがって、使用者の手指が可動カバー１３２ｆの操作によってトナーで汚されることが防止され得る。また、現像カートリッジ１３２の交換や、用紙ジャム処理等のために現像カートリッジ１３２がレーザプリンタ１００の外部に取り出されたとき（前記脱着状態）に、現像ローラ１３２ｂが傷や異物付着から効果的に保護され得る。
【００７７】
このように、本実施形態の構成においては、前記脱着状態においては現像ローラ１３２ｂの保護のために必要である一方で前記装着状態においては不必要な可動カバー１３２ｆが、常に現像カートリッジ１３２に装着されつつ、前記装着状態と前記脱着状態とに応じて適宜な位置に移動し得る。すなわち、使用後の現像カートリッジ１３２を回収して再度トナーを充填するトナーリフィルを行う際に必要な可動カバー１３２ｆが、前記装着状態においても現像カートリッジ１３２に装着されている。よって、本実施形態の構成によれば、現像カートリッジ１３２のトナーリフィルを行うにあたり、可動カバー１３２ｆが紛失されたり廃棄されたりすることが抑制され得る。そして、現像カートリッジ１３２の回収時からリフィルされた現像カートリッジ１３２の配布時にわたって、可動カバー１３２ｆが再利用され得る。したがって、現像カートリッジ１３２のトナーリフィルがより効率的に実施され得る。
【００７８】
可動カバー１３２ｆがコイルスプリング１３２ｋの弾性力によって前記第２の位置から前記第１の位置に移動する際、サイドカバー１３２ｈの外面と軸受板１３２ｆ９とが摺動する。このとき、当該摺動部分には、粘度の高いグリースＧが充填されているので、可動カバー１３２ｆが前記第２の位置から前記第１の位置へ移動する際の加速度が減衰される。これにより、当該移動の際に、可動カバー１３２ｆによって収容されたトナーが飛散することが抑制され得る。
【００７９】
使用後の現像カートリッジ１３２がレーザプリンタ１００の本体部１１０の外部に取り出された場合、図４（ａ）に示されているように、底板を構成する第２外板１３２ｆ６の両端から、第１外板１３２ｆ４と内板１３２ｆ７とが上方に突出する。これにより、前記脱着状態において、当該第１外板１３２ｆ４と第２外板１３２ｆ６と内板１３２ｆ７とで囲まれた箱状の空間内にトナーが保持される。よって、可動カバー１３２ｆによって収容されたトナーが飛散することが抑制され得る。
【００８０】
＜変形例の示唆＞
なお、上述の実施形態は、上述した通り、出願人が取り敢えず本願の出願時点において最良であると考えた本発明の実施形態を単に例示したものにすぎないのであって、本発明はもとより上述の実施形態に何ら限定されるものではなく、本発明の本質的部分を変更しない範囲内において種々の変形を施すことができることは当然である。以下、変形例について幾つか例示する。もっとも、いうまでもなく、変形例とて下記のものに限定されるものではない。
【００８１】
（ｉ）本発明の適用対象たる画像形成装置は、レーザプリンタに限定されない。また、現像カートリッジは、感光ドラムを備えたレーザプリンタの本体部に対して着脱可能であってもよい。
【００８２】
（ii）上述の実施形態におけるカラー１３２ｇは、可動カバー１３２ｆと別体であってもよい。この場合、例えば、カラー１３２ｇはサイドカバー１３２ｈと一体であってもよい。
【００８３】
（iii）上述の実施形態においては、図４に示されている可動カバー１３２ｆの断面形状は、可動カバー１３２ｆの長手方向における略全長にわたって適用されていた。もっとも、当該断面形状は、可動カバー１３２ｆの長手方向における全長のうちの一部分に適用されていてもよい。例えば、トナー漏れが通常発生しやすい現像ローラ１３２ｂの両端部にのみ適用されていてもよい。あるいは、現像ローラ１３２ｂの長手方向における略中央部にのみ適用されていてもよい。さらには、上述の両端部及び略中央部にのみ適用されていてもよい。
【００８４】
（iv）上述の実施形態においては、可動カバー１３２ｆに形成されたフック１３２ｆ２が係合される係合部は、プロセスカートリッジ１３０のプロセスケース１３１に形成された係合孔１３１ｆにより構成されていた。もっとも、当該係合部は、レーザプリンタ１００の本体部１１０に形成されていてもよい。
【００８５】
（ｖ）上述の実施形態においては、可動カバー１３２ｆは、前記第２の位置から前記第１の位置へ移動するように付勢されていた。もっとも、可動カバー１３２ｆは、前記第１の位置から前記第２の位置へ移動するように付勢されていてもよい。
【００８６】
（vi）上述の実施形態においては、可動カバー１３２ｆが前記第２の位置から前記第１の位置へ移動する際の加速度を減衰するダンパー機構は、サイドカバー１３２ｈ、軸受板１３２ｆ９、及びグリースＧによって構成されていた。その他、当該ダンパー機構は、例えば、ラジオコントロール自動車模型のサスペンションに用いられているような小型の合成樹脂製のオイルダンパー機構等、様々な構造で実現され得る。
【００８７】
（vii）上述の実施形態においては、可動カバー１３２ｆがサイドフレーム１３２ａ２と当接することによって、可動カバー１３２ｆの位置が前記第１の位置に保持されるように構成されていた。もっとも、これに代えて、可動カバー１３２ｆが他の部材（例えば、ブレードホルダー１３２ｅやサイドカバー１３２ｈ）に当接することによって、可動カバー１３２ｆの位置が前記第１の位置に保持されるように構成してもよい。
【００８８】
（viii）上述の実施形態におけるガイドリブ１３２ｆ３や、用紙ガイド１５３，１５４等の用紙搬送経路ＰＰに対向する面上に形成され得るガイドリブに代えて、回動可能なコロ等が用いられてもよい。
【図面の簡単な説明】
【００８９】
【図１】本発明の実施形態に係るレーザプリンタの概略的な構成を示す断面図である。
【図２】図１に示したレーザプリンタにおけるプロセスカートリッジの着脱の様子を示す図である。
【図３】図１に示した現像カートリッジの外観を示す斜視図である。
【図４】図３に示した可動カバーの側断面図である。
【図５】図１に示したプロセスカートリッジの外観を示す斜視図である。
【符号の説明】
【００９０】
１００…レーザプリンタ、１１０…本体部、          １３０…プロセスカートリッジ、
１３１…プロセスケース、１３２…現像カートリッジ、１３２ａ…現像ユニットケース、
１３２ａ１…開口部、  １３２ａ２…サイドフレーム、１３２ｂ…現像ローラ、
１３２ｂ１…回転軸、  １３２ｆ…可動カバー、      １３２ｆ１…カバー本体、
１３２ｆ２…フック、  １３２ｋ…コイルスプリング、１３３…感光ドラム、
Ｇ…グリース
【図１】
2006267445.tif 000003
【図２】
2006267445.tif 000004
【図３】
2006267445.tif 000005
【図４】
2006267445.tif 000006
【図５】
2006267445.tif 000007